(57)【要約】【課題】左右の穀稈引起し装置を刈取搬送部の上下方向に沿った左右の軸により支持し、楽に左右に回動できるようにしメンテナンスを容易にする。【解決手段】走行車台（１）の前側部に操縦部（３）及び刈取搬送部（５）を左右に並列配置し、刈取搬送部（５）の前側部に穀稈引起し装置（７）を設けたコンバインにおいて、複数条の穀稈引起し装置（７）を左右引起し部（７Ｌ，７Ｒ）に分割構成し、刈取搬送部（５）の左右両側に設けた上下方向に沿った左右引起し縦伝動軸（２５，２５）を経由して左右引起し部（７Ｌ，７Ｒ）へ動力を伝達し、この左右引起し縦伝動軸（２５，２５）を中心として左右引起し部（７Ｌ，７Ｒ）を左右に回動可能に支持する。【選択図】図４
2009284807.tif 000002
【特許請求の範囲】
【請求項１】
走行車台（１）の前側部に操縦部（３）及び刈取搬送部（５）を左右に並列配置し、前記刈取搬送部（５）の前側部に複数条の穀稈引起し装置（７）を設けたコンバインにおいて、前記穀稈引起し装置（７）を左右に分割構成した左右引起し部（７Ｌ，７Ｒ）を前記刈取搬送部（５）に設けた上下方向に沿った左右の軸（２５，２５）回りに回動自在に支持したことを特徴とするコンバインの穀稈引起し装置。
【請求項２】
前記刈取搬送部（５）に前記左右引起し部（７Ｌ，７Ｒ）を軸支する上下方向に沿った左右の軸（２５，２５）が、前記左右引起し部（７Ｌ，７Ｒ）へ動力を伝達する左右引起し縦伝動軸（２５，２５）であることを特徴とする請求項１記載のコンバインの穀稈引起し装置。
【請求項３】
前記刈取搬送部（５）に前記左右引起し部（７Ｌ，７Ｒ）を軸支する上下方向に沿った左右の軸（２５，２５）を、前記刈取搬送部（５）の接地状態において地面に対して垂直に設定したことを特徴とする請求項１または請求項２記載のコンバインの穀稈引起し装置。
【発明の詳細な説明】
【技術分野】
【０００１】
本発明は、コンバインの穀稈引起し装置に関するものである。
【背景技術】
【０００２】
走行機体の前側部に運転部と刈取部とを並列配置すると共に、刈取部の前側部に引起し装置を振り上げ揺動可能に構成したコンバインにおいて、刈取部に対する引起し装置の最大揺動高さを制限する上限設定手段を備え、刈取部を最大上昇させた状態で引起し装置を最大振り上げ揺動させた時に、引起し装置が運転部に干渉するのを回避するように上限設定手段を設けたものは、公知である。
【特許文献１】特開２００８−６１５７２号公報
【発明の開示】
【発明が解決しようとする課題】
【０００３】
前記従来技術では、刈取部に対し引起し装置全体を左右方向の軸回りに上方へ揺動するものであるため、上方へ揺動するのに多くの労力を必要とする不具合があった。本発明は、刈取部に対して引起し装置を左右に分割して上下方向の軸回りに回動するように構成し、引起し装置の開放回動を容易にし、このような不具合を解消しようとするものである。
【課題を解決するための手段】
【０００４】
請求項１の発明は、走行車台（１）の前側部に操縦部（３）及び刈取搬送部（５）を左右に並列配置し、前記刈取搬送部（５）の前側部に複数条の穀稈引起し装置（７）を設けたコンバインにおいて、前記穀稈引起し装置（７）を左右に分割構成した左右引起し部（７Ｌ，７Ｒ）を前記刈取搬送部（５）に設けた上下方向に沿った左右の軸（２５，２５）回りに回動自在に支持したことを特徴とするコンバインの穀稈引起し装置とする。
【０００５】
前記構成によると、刈取搬送部（５）に対して穀稈引起し装置（７）の左右引起し部（７Ｌ，７Ｒ）を上下方向に沿った左右の軸（２５，２５）回りに別々に回動させることができる。
【０００６】
請求項２の発明は、前記刈取搬送部（５）に前記左右引起し部（７Ｌ，７Ｒ）を軸支する上下方向に沿った左右の軸（２５，２５）が、前記左右引起し部（７Ｌ，７Ｒ）へ動力を伝達する左右引起し縦伝動軸（２５，２５）であることを特徴とする請求項１記載のコンバインの穀稈引起し装置とする。
【０００７】
前記構成によると、左右引起し部（７Ｌ，７Ｒ）へは左右引起し縦伝動軸（２５，２５）を経由して動力が伝達され、また、左右引起し部（７Ｌ，７Ｒ）は上下方向に沿った左右引起し縦伝動軸（２５，２５）を支点として、左右に開放回動される。
【０００８】
請求項３の発明は、前記刈取搬送部（５）に前記左右引起し部（７Ｌ，７Ｒ）を軸支する上下方向に沿った左右の軸（２５，２５）を、前記刈取搬送部（５）の接地状態において地面に対して垂直に設定したことを特徴とする請求項１または請求項２記載のコンバインの穀稈引起し装置とする。
【０００９】
前記構成によると、刈取搬送部（５）の接地状態において地面に対して垂直な左右の軸（２５，２５）回りに、左右引起し部（７Ｌ，７Ｒ）を開放回動することができる。
【発明の効果】
【００１０】
請求項１の発明は、刈取搬送部（５）に対して穀稈引起し装置（７）の左右引起し部（７Ｌ，７Ｒ）を上下方向に沿った左右の軸（２５，２５）回りに別々に楽に回動させることができ、刈取搬送部（５）のメンテナンスが容易になる。
【００１１】
請求項２の発明は、上記請求項１の発明の効果に加え、左右引起し部（７Ｌ，７Ｒ）へ動力を伝達する既存の左右引起し縦伝動軸（２５，２５）を支点として左右引起し部（７Ｌ，７Ｒ）を左右に開放回動可能に軸支しているので、左右引起し部（７Ｌ，７Ｒ）の開放支持構成を簡素化することができる。
【００１２】
請求項３の発明は、上記請求項１または請求項２の発明の効果に加え、刈取搬送部（５）の接地状態において地面に対して垂直な左右の軸（２５，２５）回りに左右引起し部（７Ｌ，７Ｒ）を軸支しているので、左右引起し部（７Ｌ，７Ｒ）を楽に開放回動することができる。
【発明を実施するための最良の形態】
【００１３】
まず、図１乃至図３基づき本発明を具備するコンバインの全体構成について説明する。図１にはコンバインの全体側面図、図２には全体平面図、図３には正面図、図４には刈取搬送部５の側面図が図示されている。
【００１４】
コンバインの走行車台１の下方には左右走行クローラ２，２を配設し、走行車台１上の右側前部に操縦部３を、左側前部に脱穀部４を搭載し、走行車台１の前側部には刈取搬送部５を昇降自在に設けている。この刈取搬送部５には、複数の分草杆６，…、穀稈引起し装置７，…、刈刃装置８、穀稈掻込搬送装置９、穀稈集送搬送装置１０、穀稈搬送装置１１等が設けられている。
【００１５】
前記構成により、コンバイン１の回転各部を駆動し刈取作業を開始すると、走行クローラ２，２が回転してコンバイン１は走行し、圃場の穀稈は刈取搬送部５の前側部の分草杆６，…により穀稈条列毎に分草されながら穀稈引起し装置７，…に案内され、引起しラグにより引き起される。引起された穀稈は刈刃装置８で刈り取られ、穀稈掻込搬送装置９及び穀稈集送搬送装置１０により後側中央寄りに搬送され、次いで、穀稈搬送装置１１に引き継がれて後方に搬送され、脱穀部４のフィードチエン４ａに引き継がれ脱穀される。
【００１６】
次に、図４により刈取搬送部５について更に具体的に説明する。
リヤーフレーム２０の後側上部を左右方向の伝動軸２０ａ回りに上下回動自在に機体前側部に支架し、リヤーフレーム２０の前側端部に左右方向に延びる下部伝動ケース２１を取り付け、リヤーフレーム２０及び下部伝動ケース２１には伝動軸やギヤ等からなる伝動装置を内装している。
【００１７】
下部伝動ケース２１から前方に延出した刈刃フレーム８ａに、刈刃装置８を左右方向に沿わせて配設し、刈刃フレーム８ａには刈刃駆動装置８ｂを設け、下部伝動ケース２１から取り出した刈刃伝動装置８ｃにより刈刃駆動装置８ｂを駆動している。また、下部伝動ケース２１には前方へ延出するように分草杆６，…を取り付けている。
【００１８】
下部伝動ケース２１の左右両側部には左右引起し縦パイプ２２，２２を立設し、この左右引起し縦パイプ２２，２２の上端に左右引起し横フレーム２３，２３を取り付け、左右引起し横フレーム２３，２３に引起し伝動ケース２４，…を介して穀稈引起し装置７，…を吊り下げ支持している。そして、左右引起し縦パイプ２２，２２及び左右引起し横フレーム２３，２３内には伝動軸やギヤ等からなる引起し伝動装置を内装し、穀稈引起し装置７，…を駆動している。
【００１９】
穀稈引起し装置７は、引起しケースアッパ７ａと引起しケースロワー７ｂを接合固着して、引起しケース７ｃを構成している。この引起しケースロワー７ｂの上下部には、上部スプロケット７ｄ及び下部スプロケット７ｅを軸架し、この上部スプロケット７ｄ及び下部スプロケット７ｅに、引起しラグ７ｆ，…を所定間隔毎に枢支している引起しチエン７ｇを巻回している。
【００２０】
引起しケース７ｃの左右一側の引起し側には、引起しチエン７ｇの内側に沿うように上下方向に長い引起しガイドレール７ｈを設け、引起しケース７ｃの左右他側の退避側下部には、下部スプロケット７ｅの上部近傍に起立ガイド片（図示省略）を設けている。
【００２１】
また、図５及び図６に示すように、例えば、６条刈りの穀稈引起し装置７，…の場合には、３条と３条あるいは４条と２条で左右に分割した左右穀稈引起し部７Ｌ，７Ｒを構成している。そして、左右穀稈引起し部７Ｌ，７Ｒを左右引起し縦伝動軸２５，２５を中心にして左右に開放回動し、穀稈掻込搬送装置９及び穀稈集送搬送装置１０の前方を開放できるように構成している。
【００２２】
また、図４に示すように、リヤーフレーム２０後側端部から引起し上部フレーム２７を穀稈搬送装置１１の上方を迂回するように前方へ延出し、引起し上部フレーム２７の前側端部に左右引起し横フレーム２３，２３の中央部を支持している。引起し上部フレーム２７の前側端部には、図７に示すように、側面視でコ字型の支持部２７ａを構成し、左右引起し部７Ｌ，７Ｒにおける左右引起し横フレーム２３，２３の中央寄り端部を支持部２７ａに嵌合し、ピン３０，３０により抜け止めして着脱自在に取り付けている。そして、左右引起し部７Ｌ，７Ｒにおける左右引起し横フレーム２３，２３の中央寄り端部を互いに連結固着しないように構成している。
【００２３】
前記構成によると、穀稈引起し装置７，…を左右引起し部７Ｌ，７Ｒに分割構成し、左右引起し縦パイプ２２，２２の上端部に取り付けている左右引起し部７Ｌ，７Ｒの左右引起し横フレーム２３，２３の中央寄りを互いに連結しないように構成したので、左右引起し縦パイプ２２，２２内の左右引起し縦伝動軸２５，２５回りに左右引起し部７Ｌ，７Ｒを各別に開放回動することができ、穀稈引起し装置７、穀稈掻込搬送装置９及び穀稈集送搬送装置１０のメンテナンスを容易にすることができる。
【００２４】
また、リヤーフレーム２０後側端部から前方へ延出している引起し上部フレーム２７の支持部２７ａにより、左右引起し部７Ｌ，７Ｒにおける左右引起し横フレーム２３，２３の中央部を着脱自在に支持しているので、左右引起し部７Ｌ，７Ｒを強固に支持し耐久性を高めることができる。
【００２５】
また、リヤーフレーム２０の後側端部から前方へ延出している引起し上部フレーム２７の支持部２７ａにより、左右引起し部７Ｌ，７Ｒにける左右引起し横フレーム２３，２３の中央部を支持するにあたり、図８に示すように構成してもよい。即ち、側面視コ字型に支持部２７ａを構成し、支持部２７ａに左右引起し横フレーム２３，２３の中央部を嵌合支持し、支持部２７ａに回動自在に設けたピン３０により開口部を開閉自在に閉鎖している。
【００２６】
前記構成によると、引起し上部フレーム２７の支持部２７ａにより、左右引起し部７Ｌ，７Ｒにおける左右引起し横フレーム２３，２３の寄り部分を強固に支持することができる。
【００２７】
また、図９に示すように、側面視四角形あるいは楕円形に支持部２７ａを構成してもよい。下部支持部２７ｂに上部支持部２７ｃを上下開閉自在に取り付け、下部支持部２７ｂと上部支持部２７ｃに左右引起し横フレーム２３，２３を挟み、固定具２７ｄにより着脱自在に支持する。
【００２８】
また、図１０及び図１１に示すように構成してもよい。引起し上部フレーム２７の支持部２７ａを側面視で箱形状あるいは筒形状に構成し、下部支持部２７ｂに上部支持部２７ｃを上下開閉自在に取り付け、ピン２８により着脱自在に固定し、左右引起し部７Ｌ，７Ｒの左右引起し横フレーム２３，２３を着脱自在に支持するように構成する。
【００２９】
次に、図４及び図１２基づき穀稈引起し装置７，７への伝動構成について説明する。
左右引起し縦パイプ２２，２２の上部に、は刈取搬送部５が下方に回動した接地状態で地面に垂直方向に沿うように左右引起し上部縦筒体２２ａ，２２ａを設け、左右引起し縦パイプ２２，２２内の左右引起し伝動軸２５，２５から左右引起し上部縦筒体２２ａ，２２ａ内の長手方向に沿った左右引起し上部縦伝動軸２５ａ，２５ａを経由して、左右引起し横フレーム２３，２３内の左右引起し横伝動軸２６，２６に動力を伝達し、左右穀稈引起し部７Ｌ，７Ｒを駆動している。そして、左右引起し上部縦筒体２２ａ，２２ａ内の左右引起し上部縦伝動軸２５ａ，２５ａを中心として左右穀稈引起し部７Ｌ，７Ｒを開放回動するように構成している。
【００３０】
また、左右引起し縦パイプ２２，２２内の左右引起し縦伝動軸２５と左右引起し上部縦筒体２２ａ，２２ａ内の左右引起し上部縦伝動軸２５ａ，２５ａとの間に、図１２に示すように、動力断続手段を設けている。左右引起し縦伝動軸２５，２５と左右引起し上部縦伝動軸２５ａ，２５ａの接続部には左右中継伝動軸２９，２９を平行に軸架し、左右引起し縦伝動軸２５，２５からギヤＧ１，ギヤＧ２を経由して左右中継伝動軸２９，２９に動力を伝達している。また、左右中継伝動軸２９，２９には小径ギヤＧ３，大径ギヤＧ４を軸方向に移動自在にスプライン嵌合し、左右引起し上部縦伝動軸２５ａ，２５ａには大径ギヤＧ５，小径ギヤＧ６を軸方向に移動不能にスプライン嵌合している。しかして、左右中継伝動軸２９，２９の小径ギヤＧ３，大径ギヤＧ４をシフトピン３０及びステー３１により移動操作し、小径ギヤＧ３と大径ギヤＧ５とを噛み合わせた低速引起し伝動状態、あるいは、大径ギヤＧ４と小径ギヤＧ６とを噛み合わせた高速引起し伝動状態、または、ギヤＧ３，Ｇ４，Ｇ５，Ｇ６が噛み合っていない引起し伝動切り状態に切り換えすることができる。
【００３１】
前記構成によると、刈取搬送部５を接地させた状態において、左右中継伝動軸２９，２９の小径ギヤＧ３，大径ギヤＧ４と左右引起し上部縦伝動軸２５ａ，２５ａの大径ギヤＧ５，小径ギヤＧ６の噛み合わせない引起し動力切り状態とし、地面と垂直な左右引起し上部縦伝動軸２５ａ，２５ａを中心として左右穀稈引起し部７Ｌ，７Ｒを回動することにより、作業者が重さを感じずに楽に左右引起し部７Ｌ，７Ｒを開放回動することができる。
【図面の簡単な説明】
【００３２】
【図１】コンバインの全体側面図
【図２】コンバインの全体平面図
【図３】コンバインの正面図
【図４】刈取搬送部の側面図
【図５】刈取搬送部の平面図
【図６】刈取搬送部の一部の平面図
【図７】刈取搬送部の一部の正面図、側面図
【図８】刈取搬送部の一部の側面図
【図９】刈取搬送部の一部の側面図
【図１０】刈取搬送部の一部の側面図、斜視図、平面図
【図１１】刈取搬送部の一部の側面図
【図１２】穀稈引起し装置の伝動装置を示す切断側面図
【符号の説明】
【００３３】
１    走行車台
５    刈取搬送部
３    操縦部
７    穀稈引起し装置
７Ｌ    左引起し部
７Ｒ    右引起し部
２５    上下方向の左右の軸（左右引起し縦伝動軸）
【図１】
2009284807.tif 000003
【図２】
2009284807.tif 000004
【図３】
2009284807.tif 000005
【図４】
2009284807.tif 000006
【図５】
2009284807.tif 000007
【図６】
2009284807.tif 000008
【図７】
2009284807.tif 000009
【図８】
2009284807.tif 000010
【図９】
2009284807.tif 000011
【図１０】
2009284807.tif 000012
【図１１】
2009284807.tif 000013
【図１２】
2009284807.tif 000014